(57)【要約】【課題】液状化現象による沈下が生じた場合にも、作業時間の著しい増大を伴うことなくジャッキアップ作業を行うことができるべた基礎を提供する。【解決手段】べた基礎１０は、地盤１３上に設けられた基礎スラブ１１と、その基礎スラブ１１から上方に立ち上がる立ち上がり部１２とを備える。基礎スラブ１１には、平面視における一部の範囲に、上方から当該基礎スラブ１１をはつることで地盤１３に通じる孔部を形成するためのはつり領域１５が設定されている。はつり領域１５では、基礎スラブ１１の厚みが当該基礎スラブ１１における他の領域と比べて小さくなっている。【選択図】      図１
2017115400.tif 000002
【特許請求の範囲】
【請求項１】
地盤上に設けられた基礎スラブと、
その基礎スラブから上方に立ち上がる立ち上がり部とを備えたべた基礎において、
前記基礎スラブには、平面視における一部の範囲に、上方から当該基礎スラブをはつることで前記地盤に通じる孔部を形成するためのはつり領域が設定されており、
前記はつり領域では、前記基礎スラブの厚みが当該基礎スラブにおける他の領域と比べて小さくなっていることを特徴とするべた基礎。
【請求項２】
前記基礎スラブには上方に開口する凹部が形成されており、
その凹部により前記基礎スラブの厚みが小さくされた部分が前記はつり領域となっていることを特徴とする請求項１に記載のべた基礎。
【請求項３】
前記基礎スラブの内部には、当該基礎スラブの厚み方向と直交する方向に延びる複数の主筋が配設されており、
前記複数の主筋のうち、自身の延びる方向に前記はつり領域が位置する少なくとも一部の主筋については当該はつり領域を挟んだ両側に分断されていることを特徴とする請求項１又は２に記載のべた基礎。
【請求項４】
前記複数の主筋のうち、自身の延びる方向に前記はつり領域が位置するすべての主筋がそれぞれ当該はつり領域を挟んだ両側に分断されていることを特徴とする請求項３に記載のべた基礎。
【請求項５】
前記基礎スラブの内部には、前記はつり領域を囲むように補強筋が配設されていることを特徴とする請求項１乃至４のいずれか一項に記載のべた基礎。
【請求項６】
前記立ち上がり部として、平面視にて前記はつり領域を挟んで対向する２つの立ち上がり部を備え、
前記はつり領域は、その全体が、前記各立ち上がり部の間の中央位置といずれかの立ち上がり部との間に位置するよう配置されていることを特徴とする請求項１乃至５のいずれか一項に記載のべた基礎。
【発明の詳細な説明】
【技術分野】
【０００１】
本発明は、べた基礎に関する。
【背景技術】
【０００２】
従来より、建物の基礎がべた基礎からなる構成において、建物に不同沈下等の沈下が生じた際、沈下した建物をべた基礎とともにジャッキ装置を用いてジャッキアップする（持ち上げる）方法が知られている。べた基礎は、布基礎とは異なり、基礎地盤の全面を覆って設けられているため、この場合、ジャッキ装置をべた基礎の周縁部に配置してジャッキアップを行うこととなる。
【０００３】
ところで、べた基礎の周縁部だけをジャッキアップする場合には、バランス良く安定した状態で基礎をジャッキアップするのが困難になる場合が考えられる。そこで、特許文献１には、べた基礎（詳しくは基礎スラブ）の中央側に予めスラブを貫通する孔部（ピット）を形成しておき、ジャッキアップ時にはその孔部にジャッキ装置を配置可能とした構成が開示されている。この構成によれば、べた基礎をその周縁部だけでなく中央側においてもジャッキ装置によりジャッキアップすることができるため、べた基礎を安定した状態でジャッキアップすることが可能となる。
【先行技術文献】
【特許文献】
【０００４】
【特許文献１】特開２００９−２６３９０７号公報
【発明の概要】
【発明が解決しようとする課題】
【０００５】
ところで、建物に生じる沈下の態様としては、液状化現象によるものがある。液状化現象が起きた場合には、液状化を起こした砂が吹き上げる噴砂が生じることがある。ここで、基礎スラブに孔部（ピット）が形成された上記特許文献１の構成において、液状化現象による沈下が生じた場合には、孔部を通じて噴砂が建物側に入り込むおそれがある。その場合、孔部が塞がる等してジャッキ装置によるジャッキアップ作業を実施できなくなるおそれがある。
【０００６】
また、現場でジャッキアップ作業を行う際に、基礎スラブをはつって孔部（ピット）を形成することも考えられるが、かかる作業には大きな困難を伴うと考えられ、作業時間が著しく長くなってしまうおそれがある。
【０００７】
本発明は、上記事情に鑑みてなされたものであり、液状化現象による沈下が生じた場合にも、作業時間の著しい増大を伴うことなくジャッキアップ作業を行うことができるべた基礎を提供することを主たる目的とするものである。
【課題を解決するための手段】
【０００８】
上記課題を解決すべく、第１の発明のべた基礎は、地盤上に設けられた基礎スラブと、その基礎スラブから上方に立ち上がる立ち上がり部とを備えたべた基礎において、前記基礎スラブには、平面視における一部の範囲に、上方から当該基礎スラブをはつることで前記地盤に通じる孔部を形成するためのはつり領域が設定されており、前記はつり領域では、前記基礎スラブの厚みが当該基礎スラブにおける他の領域と比べて小さくなっていることを特徴とする。
【０００９】
本発明では、ジャッキ装置によりべた基礎をジャッキアップする際、基礎スラブの一部に設定されたはつり領域をはつって基礎スラブに孔部を形成し、その孔部を通じてジャッキ装置を配置することとしている。はつり領域では、基礎スラブの厚みが他の領域よりも小さくなっているため、この場合、基礎スラブをはつる作業を比較的容易に行うことが可能となる。このため、作業時間の著しい増大を伴うことなくジャッキアップ作業を行うことが可能となる。また、現場で基礎スラブに孔部を形成する構成であるため、液状化現象による沈下が生じた際にも噴砂が孔部を通じて建物側に入り込む事態が生じることがない。このため、液状化現象による沈下が生じた際にもジャッキアップ作業を行うことが可能となる。よって、以上より、液状化現象による沈下が生じた場合にも、作業時間の著しい増大を伴うことなくジャッキアップ作業を行うことができる。
【００１０】
第２の発明のべた基礎は、第１の発明において、前記基礎スラブには上方に開口する凹部が形成されており、その凹部により前記基礎スラブの厚みが小さくされた部分が前記はつり領域となっていることを特徴とする。
【００１１】
本発明によれば、基礎スラブに形成された上向き開口の凹部によりはつり領域の位置を容易に判別できる。そのため、誤って別の箇所をはつってしまう等の事態が生じるのを回避できる。
【００１２】
第３の発明のべた基礎は、第１又は第２の発明において、前記基礎スラブの内部には、当該基礎スラブの厚み方向と直交する方向に延びる複数の主筋が配設されており、前記複数の主筋のうち、自身の延びる方向に前記はつり領域が位置する少なくとも一部の主筋については当該はつり領域を挟んだ両側に分断されていることを特徴とする。
【００１３】
一般に基礎スラブの内部には、その厚み方向と直交する方向に延びる複数の主筋が配設されている。ここで、基礎スラブの一部にはつり領域が設定された上述の構成では、主筋の一部がはつり領域を通過して延びることが考えられる。その場合、はつり領域をはつって孔部を形成する際に、主筋を切断する必要が生じるため、はつる作業が大変となる。その点本発明では、自身の延びる方向にはつり領域が位置する少なくとも一部の主筋についてははつり領域を挟んだ両側に分断されているため、当該主筋についてははつり領域を通過することがない。つまり、この場合、はつり領域を通過する主筋の数を少なくすることができるため、主筋を切断する作業の軽減を図ることができ、その結果はつり作業の容易化を図ることができる。
【００１４】
第４の発明のべた基礎は、第３の発明において、前記複数の主筋のうち、自身の延びる方向に前記はつり領域が位置するすべての主筋がそれぞれ当該はつり領域を挟んだ両側に分断されていることを特徴とする。
【００１５】
本発明によれば、自身の延びる方向にはつり領域が位置するすべての主筋がはつり領域を挟んだ両側に分断されているため、はつり領域の内部には主筋が存在していない。この場合、はつり領域をはつる際に主筋を切断する作業を行わなくて済むため、はつり作業をより一層容易に行うことができる。
【００１６】
また、ジャッキ装置を用いてべた基礎のジャッキアップ作業を終えた後は、孔部を塞いで元通りに戻す復旧作業を行うことになるが、上記の構成では、はつり領域にもともと主筋が存在していないため、復旧作業に際し孔部に主筋を配設する必要がなく、孔部にコンクリートを打設するだけでよい。そのため、孔部の復旧作業についても比較的容易に行うことが可能となる。
【００１７】
第５の発明のべた基礎は、第１乃至第４のいずれかの発明において、前記基礎スラブの内部には、前記はつり領域を囲むように補強筋が配設されていることを特徴とする。
【００１８】
本発明によれば、基礎スラブの内部にはつり領域を囲むように補強筋が配設されているため、厚みの小さいはつり領域の周辺で基礎スラブに損傷が生じるのを抑制することができる。また、補強筋ははつり領域の周囲に配設されているため、はつり領域において基礎スラブをはつる際に補強筋を切断する作業が発生することもない。
【００１９】
第６の発明のべた基礎は、第１乃至第５のいずれかの発明において、前記立ち上がり部として、平面視にて前記はつり領域を挟んで対向する２つの立ち上がり部を備え、前記はつり領域は、その全体が、前記各立ち上がり部の間の中央位置といずれかの立ち上がり部との間に位置するよう配置されていることを特徴とする。
【００２０】
基礎スラブには、立ち上がり部上に設置された建物からの下向き荷重（柱荷重）が立ち上がり部を介して作用する。このため、基礎スラブには、はつり領域を挟んで対向する２つの立ち上がり部からそれぞれ建物からの下向き荷重が作用することになる。その一方で、基礎スラブには、その底面全域に地盤からの反力（地盤反力）が上向きに作用する。この場合、基礎スラブに作用する上記下向き荷重と地盤からの上向き反力とにより、基礎スラブにおける各立ち上がり部の間の中央付近では上向きの応力が生じ、その上向きの応力は各立ち上がり部の間の中央位置で最大となる。そこで本発明では、この点に鑑みて、当該中央位置を回避するようにしてはつり領域を設定している。この場合、厚みの小さいはつり領域において基礎スラブに損傷が生じるのを抑制することができる。
【図面の簡単な説明】
【００２１】
【図１】（ａ）はべた基礎を示す平面図であり、（ｂ）はべた基礎を示す縦断面図である。
【図２】（ａ）は基礎スラブに作用する荷重を示す図であり、（ｂ）は基礎スラブに生じる応力分布を示す図である。
【図３】（ａ）は基礎スラブにおけるはつり領域周辺の配筋構造を示す平面図であり、（ｂ）は同構造を示す縦断面図である。
【図４】建物をべた基礎とともにジャッキアップする際の作業内容を説明するための図。
【発明を実施するための形態】
【００２２】
以下に、本発明を具体化した一実施の形態について図面を参照しつつ説明する。図１において（ａ）はべた基礎を示す平面図であり、（ｂ）はべた基礎を示す縦断面図である。なお、図１（ｂ）は図１（ａ）のＡ−Ａ線断面図に相当する。
【００２３】
図１（ａ）及び（ｂ）に示すように、建物の基礎は、鉄筋コンクリート造りのべた基礎１０となっている。べた基礎１０は、地盤１３上に設けられた基礎スラブ１１と、基礎スラブ１１から上方に立ち上がる立ち上がり部１２とを備える。基礎スラブ１１は、所定の厚みを有する板状に形成され、平面視において長方形状をなしている。基礎スラブ１１は、その厚みｔ１（スラブ厚）が例えば２００ｍｍ程度とされている。
【００２４】
立ち上がり部１２には、基礎スラブ１１の周縁部に沿って配設された立ち上がり部１２ａと、その立ち上がり部１２ａにより囲まれた内側に配設された立ち上がり部１２ｂとがある。立ち上がり部１２ａは、平面視にて矩形枠状をなすように配設されている。また、立ち上がり部１２ｂは、立ち上がり部１２ａにより囲まれた内側に平面視で十文字状をなすように配設されている。そして、これら立ち上がり部１２ａ，１２ｂ上に建物Ｋが設置されている。
【００２５】
ところで、本実施形態では、建物Ｋにおいて不同沈下等の沈下が生じた際、建物Ｋをべた基礎１０とともにジャッキ装置によりジャッキアップすることを想定している。具体的には、べた基礎１０（基礎スラブ１１）の周縁部に加えて中央側にもジャッキ装置を配置し、それら複数のジャッキ装置によりべた基礎１０をジャッキアップすることを想定している。ここで、基礎スラブ１１の中央側にジャッキ装置を配置する際には、基礎スラブ１１の一部をはつることで当該基礎スラブ１１に孔部を形成し、その孔部を通じてジャッキ装置を配置することになる。そこで本実施形態では、基礎スラブ１１の一部に当該スラブ１１のはつりを容易としたはつり領域を設定し、そのはつり領域にて基礎スラブ１１をはつることで孔部を形成することとしている。以下においては、このはつり領域に関する構成について説明する。
【００２６】
基礎スラブ１１には、その上面に上方に開口する凹部１４が形成されている。凹部１４は、平面視にて矩形形状をなしており、詳しくは正方形状をなしている。基礎スラブ１１において凹部１４により厚みが小さくされた部分（領域）ははつり領域１５となっている。はつり領域１５は、基礎スラブ１１において凹部１４と平面視で重複する領域となっている。
【００２７】
はつり領域１５は、上述したように、ジャッキアップ作業を行う際、ジャッキ装置を通すための孔部が形成される領域である。そのため、はつり領域１５は、その（平面視の）大きさが、ジャッキ装置を通すことのできる大きさの孔部を形成可能な大きさに設定されている。また、本実施形態では後述するように、ジャッキアップ作業に際し作業者が孔部を通じて出入りすることを想定しているため、はつり領域１５の大きさは人の出入りが可能な大きさの孔部を形成可能な大きさに設定されている。はつり領域１５の大きさは、例えば６００ｍｍ×６００ｍｍの大きさに設定されている。
【００２８】
はつり領域１５では、基礎スラブ１１の厚みｔ２が当該基礎スラブ１１における他の領域の厚みｔ１よりも小さくされている。詳しくは、はつり領域１５では、その厚みｔ２が他の領域の厚みｔ１の２／３〜４／５程度とされ、より詳しくは３／４程度とされている。本実施形態では、はつり領域１５の厚みｔ２が１５０ｍｍ程度に設定されている。
【００２９】
はつり領域１５は、平面視において基礎スラブ１１の中央側に配置されている。はつり領域１５は、平面視にて基礎スラブ１１における立ち上がり部１２（１２ａ，１２ｂ）により囲まれた内側領域１７に配置されている。なお、この内側領域１７は平面視長方形の領域となっている。
【００３０】
ここで、基礎スラブ１１におけるはつり領域１５の位置に関し図２を参照しながら詳しく説明する。図２において（ａ）は基礎スラブ１１に作用する荷重を示す図であり、（ｂ）は基礎スラブ１１に生じる応力分布を示す図である。
【００３１】
図２（ａ）に示すように、基礎スラブ１１には、立ち上がり部１２上に設置された建物Ｋからの荷重Ｆ（柱荷重）が各立ち上がり部１２を介してそれぞれ下向きに作用する。その一方で、基礎スラブ１１には、その底面全域に地盤１３からの反力Ｎ（地盤反力）が上向きに作用する。このため、基礎スラブ１１には、これらの荷重Ｆ及び反力Ｎにより図２（ｂ）に示すような応力が発生する。
【００３２】
基礎スラブ１１には、平面視においてはつり領域１５（換言すると内側領域１７）を挟んで対向する２つの立ち上がり部１２（１２ａ，１２ｂ）からそれぞれ建物Ｋからの下向き荷重Ｆが作用する。ここで、図２（ｂ）に示すように、基礎スラブ１１においてそれら各立ち上がり部１２ａ，１２ｂの間の中央付近では、上記各下向き荷重Ｆにより上向きの応力が発生している。そして、その上向きの応力は各立ち上がり部１２ａ，１２ｂの間の中央位置Ｃで最大となっている。
【００３３】
なお、ここでは、上記対向する２つの立ち上がり部１２ａ，１２ｂとして内側領域１７をその長手方向に挟んで対向する立ち上がり部１２ａ，１２ｂ同士を想定している。
【００３４】
はつり領域１５は、基礎スラブ１１（詳しくは内側領域１７）において上記中央位置Ｃを回避するようにして配置されている。すなわち、はつり領域１５は、基礎スラブ１１において最大の上向き応力が生じる上記中央位置Ｃを回避するようにして配置されている。詳しくは、はつり領域１５は、その全体が、基礎スラブ１１の平面視にて上記対向する各立ち上がり部１２ａ，１２ｂのうち中央側に位置する立ち上がり部１２ｂと上記中央位置Ｃとの間に位置するよう配置されている。これにより、厚みが小さくされているはつり領域１５において基礎スラブ１１に損傷が生じるのを抑制することが可能となっている。
【００３５】
また、基礎スラブ１１において立ち上がり部１２ｂと上記中央位置Ｃとの間の中央付近には基礎スラブ１１に生じる応力が０となる位置がある。そして、はつり領域１５は、この０となる位置を含むようにして基礎スラブ１１に配置されている。したがって、この点からも、基礎スラブ１１に損傷が生じるのが抑制されている。
【００３６】
続いて、基礎スラブ１１の内部に設けられた配筋構造について説明する。図３において（ａ）は基礎スラブ１１におけるはつり領域１５周辺の配筋構造を示す平面図であり、（ｂ）は同構造を示す縦断面図である。なお、図３（ｂ）は図３（ａ）のＢ−Ｂ線断面図に相当する。また、図３（ａ）及び（ｂ）では、便宜上、基礎スラブ１１のコンクリート部分を仮想線（二点鎖線）にて示している。
【００３７】
図３（ａ）及び（ｂ）に示すように、基礎スラブ１１には、厚み方向と直交する方向に延びる複数の主筋１８，１９が配設されている。主筋１８，１９には、互いに直交する方向に延びる主筋１８と主筋１９とがある。これらの主筋１８，１９はいずれも異形鉄筋により構成されている。主筋１８は所定の間隔で複数配設され、詳しくは等間隔で配設されている。また、主筋１９も同様に所定の間隔で複数配設され、詳しくは等間隔で配設されている。また、主筋１８の間隔と主筋１９の間隔とはいずれも同じとなっている。
【００３８】
本実施形態では、各主筋１８，１９がダブル配筋とされている。そのため、各主筋１８，１９がそれぞれ上下二重に配設されている。詳しくは、上下二重の各配筋１８の間に上下二重の各配筋１９が配設され、そのため、基礎スラブ１１の厚み方向で見ると上下各主筋１８が外側、上下各主筋１９が内側に位置している。
【００３９】
上記各主筋１８には、それら主筋１８の並ぶ方向においてはつり領域１５と同じ位置にある複数（具体的には２つ）の主筋１８ａが含まれている。この場合、これら各主筋１８ａの延びる方向（長手方向）にはそれぞれはつり領域１５が位置している。これらの主筋１８ａはいずれもはつり領域１５を挟んだ両側に分断されている。つまり、各主筋１８ａはそれら分断された２つの主筋部１８ｂからなる。それら各主筋部１８ｂはそれぞれはつり領域１５に向けて延びており、はつり領域１５の手前で、詳しくは直前で（より詳しくは後述する補強筋２１の直前で）途切れている。
【００４０】
上記各主筋１９には、それら主筋１９の並ぶ方向においてはつり領域１５と同じ位置にある複数（具体的には２つ）の主筋１９ａが含まれている。この場合、これら各主筋１９ａの延びる方向（長手方向）にはそれぞれはつり領域１５が位置している。これらの主筋１９ａはいずれもはつり領域１５を挟んだ両側に分断されている。つまり、各主筋１９ａはそれら分断された２つの主筋部１９ｂからなる。それら各主筋部１９ｂはそれぞれはつり領域１５に向けて延びており、はつり領域１５の手前で、詳しくは直前で（より詳しくは後述する補強筋２１の直前で）途切れている。
【００４１】
このように、各主筋１８ａと各主筋１９ａとはいずれもはつり領域１５を挟んだ両側に分断されているため、はつり領域１５の内部には主筋１８ａ，１９ａが存在していない。
【００４２】
基礎スラブ１１には、はつり領域１５（凹部１４）の周囲に複数の補強筋２１が配設されている。各補強筋２１は異形鉄筋により形成され、はつり領域１５の各端辺部に沿って配設されている。この場合、各補強筋２１は平面視にてはつり領域１５を矩形に囲むように配設されている。また、各補強筋２１は、基礎スラブ１１の厚み方向において上下に配された主筋１８，１９（ダブル主筋）の間に位置している。
【００４３】
基礎スラブ１１には、平面視における凹部１４の各隅部付近にそれぞれひび割れ防止筋２２が配設されている。ひび割れ防止筋２２は異形鉄筋により形成されている。ひび割れ防止筋２２は、平面視にて凹部１４の隅部外側に配置され、その隅部を形成する凹部１４の各端辺部に対し斜めに延びている。これにより、基礎スラブ１１における凹部１４の隅部周辺でひび割れが発生するのを抑制することができる。
【００４４】
次に、建物Ｋにおいて不同沈下が生じた際に、ジャッキ装置により建物Ｋをべた基礎１０とともにジャッキアップする（持ち上げる）際の作業内容について説明する。図４はかかる作業内容を説明するための図である。なおここでは、建物Ｋの不同沈下が液状化現象により生じたことを想定している。また、本実施形態では、アンダーピニング工法によりべた基礎１０をジャッキアップすることを想定している。
【００４５】
ジャッキアップ作業に際してはまず、図４（ａ）に示すように、はつり領域１５において基礎スラブ１１をはつることで同領域１５に地盤１３に通じる孔部２５を形成する作業を行う。この作業は、専用のはつり装置等を用いて行う。
【００４６】
次に、図４（ｂ）に示すように、基礎スラブ１１の下方の地盤１３を掘削する作業を行う。この作業は、専用の掘削装置を用いて行う。この作業では、基礎スラブ１１の周縁部（例えば４隅）の下方の地盤１３と、基礎スラブ１１の中央側の下方の地盤１３とをそれぞれ掘削する。この場合、基礎スラブ１１の中央側の地盤１３については、はつり領域１５に形成した上記孔部２５を通じて掘削作業を行う。この掘削作業により基礎スラブ１１の下方の地盤１３に孔部２７が形成される。
【００４７】
次に、図４（ｃ）に示すように、基礎スラブ１１の下方の地盤１３に杭２６（鋼管杭）を埋め込む作業を行う。この作業では、地盤１３に形成された各孔部２７の底部に杭２６を埋め込む。この場合、基礎スラブ１１の中央側については孔部２５を通じて作業者が孔部２７に入り埋め込み作業を行う。
【００４８】
次に、図４（ｄ）に示すように、地盤１３に埋め込まれた各杭２６の上にそれぞれジャッキ装置２８を設置する作業を行う。これにより、各ジャッキ装置２８が基礎スラブ１１の下方に配置される。この場合、基礎スラブ１１の中央側については作業者が孔部２５を通じてジャッキ装置２８を孔部２７に運び込み杭２６の上に設置する。
【００４９】
その後、各ジャッキ装置２８によりべた基礎１０をジャッキアップする（持ち上げる）作業を行う。すなわち、各ジャッキ装置２８により建物Ｋをべた基礎１０とともにジャッキアップする作業を行う。この作業では、建物Ｋが元の高さ位置に達するまでべた基礎１０を持ち上げる。
【００５０】
次に、図４（ｅ）に示すように、杭２６とべた基礎１０（基礎スラブ１１）との間からジャッキ装置２８を取り外し、それら両者１１，２６の間にスペーサ２９を配設する作業を行う。これにより、建物Ｋが所定の高さ位置で保持される。
【００５１】
次に、図４（ｆ）に示すように、基礎スラブ１１の孔部２５にコンクリートを打設して当該孔部２５を塞ぐ作業を行う。また、地盤１３に形成した各孔部２７にコンクリートを打設してそれらの孔部２７を埋め戻す作業を行う。以上により、一連の作業が終了する。
【００５２】
以上、詳述した本実施形態の構成によれば、以下の優れた効果が得られる。
【００５３】
基礎スラブ１１における平面視の一部の範囲（領域）に、基礎スラブ１１の厚みが他の領域よりも小さくされたはつり領域１５を設定した。そして、ジャッキ装置２８によりべた基礎１０をジャッキアップする際には、そのはつり領域１５をはつって基礎スラブ１１に孔部２５を形成し、その孔部２５を通じてジャッキ装置２８を配置するようにした。この場合、基礎スラブ１１をはつる作業を比較的容易に行うことが可能となるため、作業時間の著しい増大を伴うことなくジャッキアップ作業を行うことが可能となる。また、現場で基礎スラブ１１に孔部２５を形成する構成であるため、液状化現象による沈下が生じた際にも噴砂が孔部を通じて建物Ｋ側に入り込む事態が生じることがない。このため、液状化現象による沈下が生じた際にもジャッキアップ作業を行うことが可能となる。よって、以上より、液状化現象による沈下が生じた場合にも、作業時間の著しい増大を伴うことなくジャッキアップ作業を行うことができる。
【００５４】
基礎スラブ１１に上方に開口する凹部１４を形成し、その凹部１４により基礎スラブ１１の厚みが小さくされた部分をはつり領域１５とした。この場合、基礎スラブ１１に形成された上向き開口の凹部１４によりはつり領域１５の位置を容易に判別できるため、誤って別の箇所をはつってしまう等の事態が生じるのを回避できる。
【００５５】
基礎スラブ１１の内部に配設された複数の主筋１８，１９のうち、自身の延びる方向にはつり領域１５が位置する主筋１８ａ，１９ａについては当該はつり領域１５を挟んだ両側に分断した。この場合、これらの主筋１８ａ，１９ａについてははつり領域１５を通過することがないため、はつり領域１５を通過する主筋の数を少なくすることができる。これにより、主筋１８，１９を切断する作業の軽減を図ることができ、はつり作業の容易化を図ることができる。
【００５６】
具体的には、自身の延びる方向にはつり領域１５が位置するすべての主筋１８ａ，１９ａを当該はつり領域１５を挟んだ両側に分断した。この場合、はつり領域１５の内部に主筋１８，１９が存在していないため、はつり領域１５をはつる際に主筋１８，１９を切断する作業を行わなくて済む。そのため、はつり作業をより一層容易に行うことができる。
【００５７】
また、ジャッキ装置２８を用いてべた基礎１０のジャッキアップ作業を終えた後は、孔部２５を塞いで元通りに戻す復旧作業を行うことになるが、上記の構成では、はつり領域１５にもともと主筋１８，１９が存在していないため、復旧作業に際し孔部２５に主筋を配設する必要がなく、孔部２５にコンクリートを打設するだけでよい。そのため、孔部２５の復旧作業についても比較的容易に行うことが可能となる。
【００５８】
基礎スラブ１１の内部にはつり領域１５を囲むように補強筋２１を配設したため、厚みの小さいはつり領域１５の周辺で基礎スラブ１１に損傷が生じるのを抑制することができる。また、補強筋２１ははつり領域１５の周囲に配設されているため、はつり領域１５において基礎スラブ１１をはつる際に補強筋２１を切断する作業が発生することもない。
【００５９】
本発明は上記実施形態に限らず、例えば次のように実施されてもよい。
【００６０】
（１）上記実施形態では、基礎スラブ１１に上方に開口する凹部１４を形成することではつり領域１５を形成したが、基礎スラブ１１に下方に開口する凹部を形成することではつり領域１５を形成してもよい。また、基礎スラブ１１に上方及び下方に開口する各凹部を形成することではつり領域１５を形成してもよい。
【００６１】
（２）上記実施形態では、はつり領域１５を平面視正方形状の領域としたが、これを変更して、平面視長方形状の領域としてもよい。また、はつり領域１５は必ずしも平面視矩形の領域とする必要はなく、円形や六角形等その他の平面視形状をなす領域であってもよい。
【００６２】
（３）基礎スラブ１１に複数のはつり領域１５を設けてもよい。その場合、べた基礎１０をジャッキアップする際に、基礎スラブ１１の中央側において複数箇所にジャッキ装置を配置することができるため、より安定した状態でジャッキアップ作業をすることが可能となる。また、建物１０の沈下の態様（例えば建物１０の傾き方）により、いずれのはつり領域１５に孔部を形成してジャッキ装置を配置するかを決定することができるため、その点でも好都合である。
【００６３】
（４）上記実施形態では、互いに直交する各主筋１８ａ，１９ａのそれぞれ（全て）をはつり領域１５を挟んだ両側に分断したが、各主筋１８ａ，１９ａのうちいずれか一方の主筋だけをはつり領域１５を挟んだ両側に分断してもよい。この場合にも、分断した主筋についてははつり領域１５を通過することがないため、はつり領域１５を通過する主筋の数をその分少なくすることができる。そのため、主筋を切断する作業を軽減することができ、はつり作業の容易化を図ることができる。
【００６４】
また、各主筋１８ａ，１９ａのいずれをも、はつり領域１５を挟んだ両側に分断しないようにしてもよい。つまり、各主筋１８ａ，１９ａのそれぞれをはつり領域１５を通過させて配設してもよい。その場合にも、はつり領域１５では、基礎スラブ１１の厚みが小さくなっているため、はつり作業を比較的容易に行うことが可能である。
【００６５】
（５）上記実施形態では、アンダーピニング工法によりべた基礎１０のジャッキアップを行う場合について説明したが、ポイントジャッキ工法や耐圧版工法等、他の工法によりべた基礎１０をジャッキアップしてもよい。例えば、ポイントジャッキ工法によりジャッキアップを行う場合には、爪部を有するジャッキ装置を孔部２５に配置し、その配置状態で爪部を基礎スラブ１１と地盤との間に挿し込みジャッキアップを行うこととなる。
【符号の説明】
【００６６】
１０…べた基礎、１１…基礎スラブ、１２…立ち上がり部、１３…地盤、１４…凹部、１５…はつり領域、１８…主筋、１９…主筋、１８ａ…主筋、１９ａ…主筋、２１…補強筋、２５…孔部。
【図１】
2017115400.tif 000003
【図２】
2017115400.tif 000004
【図３】
2017115400.tif 000005
【図４】
2017115400.tif 000006